(57)【要約】【課題】  発呼側の発呼番号が通知されなくても、応答前に発呼者を特定することができる通信装置、および通信プログラムを提供する。【解決手段】  外部装置から、装置固有に割り当てられた発呼番号に基づいて送信されてきた通信要求を受信して、外部装置と通信する通信装置において、発呼番号とは別に外部装置に割り当てられた識別情報と通信要求を受信する通信要求受信部と、情報を表示する表示部と、外部装置の識別情報と、外部装置からの通信要求受信時における表示に利用する装置情報との対応表を記憶しておく情報記憶部と、通信要求受信部で識別情報を併なう通信要求を受信したときに、情報記憶部に記憶された対応表中の、通信要求に併なわれて受信された識別情報と一致する識別情報に対応付けられて対応表中に記録されている装置情報を表示部に表示させる表示制御部とを備えた。【選択図】        図８
2006279736.tif 000002
【特許請求の範囲】
【請求項１】
外部装置から、装置固有に割り当てられた発呼番号のうちの自装置に割り当てられた発呼番号に基づいて送信されてきた通信要求を受信して該外部装置と通信する通信装置において、
外部装置からの、発呼番号とは別に該外部装置に割り当てられた識別情報を併なうことが許容された通信要求を受信する通信要求受信部と、
情報を表示する表示部と、
外部装置の識別情報と、該外部装置からの通信要求受信時における表示に利用する装置情報との対応表を記憶しておく情報記憶部と、
前記通信要求受信部で識別情報を併なう通信要求を受信したときに、前記情報記憶部に記憶された対応表中の、該通信要求に併なわれて受信された識別情報と一致する識別情報に対応付けられて該対応表中に記録されている装置情報を前記表示部に表示させる表示制御部とを備えたことを特徴とする通信装置。
【請求項２】
識別情報を併なわない通信要求を送信してきた識別不能外部装置に割り当てる識別情報と、該識別情報に対応付ける装置情報とを編集して前記対応表を更新する情報編集部と、
前記情報編集部により前記識別不能外部装置用に編集された識別情報を該識別不能外部装置に送信する識別情報送信部とを備えたことを特徴とする請求項１記載の通信装置。
【請求項３】
発呼番号とは別に自装置に割り当てられた識別情報を記憶しておく自情報記憶部と、
外部装置に宛てて、前記自情報記憶部に記憶された識別情報を併なう通信要求を送信する通信要求送信部とを備えたことを特徴とする請求項１記載の通信装置。
【請求項４】
前記自情報記憶部は、外部装置の発呼番号と、該外部装置が自装置に割り当てた識別情報との対応表を記憶するものであり、
前記通信要求送信部は、前記自情報記憶部に記憶された対応表中の、通信要求を送信する通信相手装置の発呼番号と一致する発呼番号に対応付けられて該対応表中に記録された識別情報を併なう通信要求を送信するものであることを特徴とする請求項３記載の通信装置。
【請求項５】
前記外部装置から、該外部装置が自装置に割り当てた識別情報を受け付ける識別情報受付部と、
前記識別情報受付部で受け付けられた識別情報と、前記外部装置の発呼番号とに基づいて、前記自情報記憶部に記憶された対応表を更新する自情報更新部とを備えたことを特徴とする請求項４記載の通信装置。
【請求項６】
プログラムを実行する機能を有する通信装置内で実行され、該通信装置に、外部装置から、装置固有に割り当てられた発呼番号のうちの自装置に割り当てられた発呼番号に基づいて送信されてきた通信要求を受信させて、該外部装置と通信させる通信プログラムにおいて、
該通信装置内に、
外部装置からの、発呼番号とは別に該外部装置に割り当てられた識別情報を併なうことが許容された通信要求を受信する通信要求受信部と、
情報を表示する表示部と、
外部装置の識別情報と、該外部装置からの通信要求受信時における表示に利用する装置情報との対応表を記憶しておく情報記憶部と、
前記通信要求受信部で識別情報を併なう通信要求を受信したときに、前記情報記憶部に記憶された対応表中の、該通信要求に併なわれて受信された識別情報と一致する識別情報に対応付けられて該対応表中に記録されている装置情報を前記表示部に表示させる表示制御部とを構成することを特徴とする通信プログラム。
【発明の詳細な説明】
【技術分野】
【０００１】
本発明は、装置固有に割り当てられた発呼番号に基づいて相手装置から呼び出され、相手装置と通信する通信装置、およびプログラムを実行する機能を有する装置内で実行されることにより、装置をそのような通信装置として動作させる通信プログラムに関する。
【背景技術】
【０００２】
近年、発呼者が誰なのかがわからずに電話に応答してしまい、しつこい勧誘や詐欺などに遭ってしまう被害が多発している。このような問題を解決するため、電話会社からは、発呼側の電話番号を着呼側の電話機に通知する発信番号通知サービスが提供されている（例えば、特許文献１参照）。この発信番号通知サービスによると、電話着呼時に、電話機に設けられたディスプレイに発呼側の電話番号が表示されるため、電話に応答する前に発呼者を特定することができる。
【特許文献１】特開平１１−１７７６９８号公報
【発明の開示】
【発明が解決しようとする課題】
【０００３】
しかし、現在提供されている発信番号通知サービスにおいては、電話番号を他者に公開したくないユーザのために、発呼の際に、発呼モードを非通知モードに設定するための番号である「１８４」を電話番号の前に付加することによって、着呼側に発呼側の電話番号が通知されないという仕組みが採用されている。このため、発呼者が発呼モードを非通知モードに設定してしまうと、着呼側のディスプレイには発呼側の電話番号が表示されず、結局は、着呼者が発呼者を特定できないまま電話に応答せざるを得ない。
【０００４】
また、発呼者の側においても、店に予約の電話を入れるときや、緊急に連絡を取りたいときなどには、着呼者に自身を特定してしてもらうために、発呼モードを通知モードに設定することが行われているが、電話番号を間違えて電話を掛けてしまったときなどには、意図せずに悪意の第３者に自身の電話番号を知られてしまう恐れがある。
【０００５】
本発明は、上記事情に鑑み、発呼側の発呼番号が通知されなくても、応答前に発呼者を特定することができる通信装置、および通信プログラムを提供することを目的とする。
【課題を解決するための手段】
【０００６】
上記目的を達成する本発明の通信装置は、外部装置から、装置固有に割り当てられた発呼番号のうちの自装置に割り当てられた発呼番号に基づいて送信されてきた通信要求を受信して外部装置と通信する通信装置において、
外部装置からの、発呼番号とは別に外部装置に割り当てられた識別情報を併なうことが許容された通信要求を受信する通信要求受信部と、
情報を表示する表示部と、
外部装置の識別情報と、外部装置からの通信要求受信時における表示に利用する装置情報との対応表を記憶しておく情報記憶部と、
通信要求受信部で識別情報を併なう通信要求を受信したときに、情報記憶部に記憶された対応表中の、通信要求に併なわれて受信された識別情報と一致する識別情報に対応付けられて対応表中に記録されている装置情報を表示部に表示させる表示制御部とを備えたことを特徴とする。
【０００７】
本発明の通信装置によると、外部装置の識別情報と、外部装置からの通信要求受信時における表示に利用する装置情報との対応表が予め記憶されており、外部装置から識別情報が併なわれた通信要求が受信されると、その識別情報と対応付けられた装置情報が表示部に表示される。例えば、対応表に、外部装置のユーザを識別可能な装置情報を記録しておくことによって、外部装置から発呼番号が通知されなくても、応答前に外部装置のユーザを特定することができる。
【０００８】
また、本発明の通信装置において、識別情報を併なわない通信要求を送信してきた識別不能外部装置に割り当てる識別情報と、識別情報に対応付ける装置情報とを編集して対応表を更新する情報編集部と、
情報編集部により識別不能外部装置用に編集された識別情報を該識別不能外部装置に送信する識別情報送信部とを備えたことが好ましい。
【０００９】
識別不能外部装置に割り当てた識別情報と装置情報とを編集して対応表を更新するとともに、割り当てた識別情報を識別不能外部装置に送信することによって、次回からはその識別不能外部装置から識別情報を併なった通信要求を受信することができ、その識別不能外部装置の装置情報を表示することができる。
【００１０】
また、本発明の通信装置において、発呼番号とは別に自装置に割り当てられた識別情報を記憶しておく自情報記憶部と、
外部装置に宛てて、自情報記憶部に記憶された識別情報を併なう通信要求を送信する通信要求送信部とを備えたことが好適である。
【００１１】
本発明の好適な態様の通信装置によると、外部装置に自装置の発呼番号を通知しなくても、その外部装置で自装置を特定してもらうことができる。
【００１２】
また、本発明の好適な態様の通信装置において、上記自情報記憶部は、外部装置の発呼番号と、外部装置が自装置に割り当てた識別情報との対応表を記憶するものであり、
通信要求送信部は、自情報記憶部に記憶された対応表中の、通信要求を送信する通信相手装置の発呼番号と一致する発呼番号に対応付けられて対応表中に記録された識別情報を併なう通信要求を送信するものであることが好ましい。
【００１３】
複数の外部装置それぞれから割り当てられた識別情報を記録しておくことによって、複数の外部装置それぞれで自装置を特定してもらうことができる。
【００１４】
また、本発明の好適な態様の通信装置において、外部装置から、外部装置が自装置に割り当てた識別情報を受け付ける識別情報受付部と、
識別情報受付部で受け付けられた識別情報と、外部装置の発呼番号とに基づいて、自情報記憶部に記憶された対応表を更新する自情報更新部とを備えたことがさらに好ましい。
【００１５】
外部装置から識別情報の割り当てを受け付け、その識別情報に基づいて対応表が更新されることによって、対応表に記録されていなかった外部装置でも、次回発呼するときからは、自装置を特定してもらうことができる。
【００１６】
また、上記目的を達成する本発明の通信プログラムは、プログラムを実行する機能を有する通信装置内で実行され、通信装置に、外部装置から、装置固有に割り当てられた発呼番号のうちの自装置に割り当てられた発呼番号に基づいて送信されてきた通信要求を受信させて、外部装置と通信させる通信プログラムにおいて、
通信装置内に、
外部装置からの、発呼番号とは別に該外部装置に割り当てられた識別情報を併なうことが許容された通信要求を受信する通信要求受信部と、
情報を表示する表示部と、
外部装置の識別情報と、外部装置からの通信要求受信時における表示に利用する装置情報との対応表を記憶しておく情報記憶部と、
通信要求受信部で識別情報を併なう通信要求を受信したときに、情報記憶部に記憶された対応表中の、通信要求に併なわれて受信された識別情報と一致する識別情報に対応付けられて対応表中に記録されている装置情報を前記表示部に表示させる表示制御部とを構成することを特徴とする。
【００１７】
本発明の通信プログラムによると、通信装置を、発呼側の発呼番号が通知されなくても、応答前に発呼者を特定することができる通信装置として機能させることができる。
【００１８】
尚、本発明のメールサーバプログラムによって構築される通信要求受信部などといった構成要素は、１つの構成要素が１つのプログラム部品によって構築されるものであってもよく、１つの構成要素が複数のプログラム部品によって構築されるものであってもよく、複数の構成要素が１つのプログラム部品によって構築されるものであってもよい。また、これらの構成要素は、そのような作用を自分自身で実行するものであってもよく、あるいは、通信装置に組み込まれている他のプログラムやプログラム部品に指示を与えて実行させるものであっても良い。
【００１９】
また、本発明の通信プログラムについては、ここではその基本形態のみを示すのにとどめたが、これは単に重複を避けるためであり、本発明にいう通信プログラムには、上記の基本形態のみではなく、前述した通信装置の各形態に対応する各種の形態が含まれる。
【発明の効果】
【００２０】
以上説明したように、本発明によれば、発呼側の発呼番号が通知されなくても、応答前に発呼者を特定することができる通信装置、および通信プログラムを提供することができる。
【発明を実施するための最良の形態】
【００２１】
以下図面を参照して本発明の実施の形態を説明する。
【００２２】
図１は、本発明の一実施形態が適用された通信システムの一例を示す模式図である。
【００２３】
図１には、携帯電話端末１０と、携帯電話端末１０との間で無線通信が行われる基地局２０と、固定電話端末４０と、固定電話端末４０に送受信される電話や各種情報を仲介する交換機３０と、交換機３０と基地局２０とを相互に接続する電話回線網５０が示されている。尚、実際には、多数の携帯電話端末や固定電話端末が基地局２０や交換機３０と接続されており、さらに、多数の基地局や、多数の交換機などが電話回線網５０に接続されているが、図１では、図の簡略化のために、本発明の説明に必要なもののみが示されている。
【００２４】
また、本実施形態では、携帯電話端末１０および固定電話端末４０から電話を掛けるときには、相手端末に自端末の電話番号を通知する「通知モード」と、相手端末に自端末の電話番号を通知しない「非通知モード」のうちのいずれかの発呼モードを選択することができる。例えば、固定電話端末４０から携帯電話端末１０に「通知モード」で電話を掛けると、携帯電話端末１０には固定電話端末４０の電話番号が通知され、その固定電話端末４０の電話番号が携帯電話端末１０に設けられたＬＣＤに表示される。携帯電話端末１０のユーザは、携帯電話端末１０のＬＣＤに表示された電話番号を確認することによって、発呼者が固定電話端末４０のユーザであることを特定することができる。しかし、固定電話端末４０から携帯電話端末１０に「非通知モード」で電話を掛けたときには、携帯電話端末１０には固定電話端末４０の電話番号が通知されないため、固定電話端末４０の電話番号を表示することができない。本実施形態の携帯電話端末１０および固定電話端末４０には、相手端末が「非通知モード」で電話を掛けてきたときでも、相手端末を特定するための情報をＬＣＤに表示することができる情報表示機能が搭載されている。この情報表示機能については、後で詳しく説明する。
【００２５】
図２は、携帯電話端末の外観斜視図、図３はその携帯電話端末のハードウェア構成図である。
【００２６】
この携帯電話端末１０は、互いに開閉する上部筐体１１と下部筐体１２とからなり、上部筐体１１には画像表示のためのＬＣＤ１１１、内部に小型スピーカが配備され耳にあてがわれて音声を聞き取るための送話口１１２が設けられている。
【００２７】
なお、下部筐体１２には、ユーザによって操作され、この携帯電話端末１０を使って電話を掛けたり、電子メールを送信したり、各種設定を行ったりするための各種の操作キー１２１、ユーザの声をピックアップするマイクロホンが内蔵されそのマイクロホンに声を導くための受話口１２２、および少し大型のスピーカーが内蔵され耳にあてがわれなくても聞き取れる程度の音声を出力する放音口１２３が設けられている。
【００２８】
また、図３には、ＣＰＵ１０１、ＲＡＭ１０２、マイクデバイス１０３、スピーカデバイス１０４、カメラデバイス１０５、近距離無線デバイス１０６、ＲＯＭ１０７、不揮発メモリ１０８、ディスプレイデバイス１０９、キーデバイス１１０、携帯電話通信デバイス１１３、およびアンテナ１１４が示されており、アンテナ１１４をのぞき、これらの間はバス１００を介して互いに接続されている。
【００２９】
ＣＰＵ１０１は、各種プログラムを実行する機能を有し、この携帯電話端末１０の全体を制御している。
【００３０】
ＲＯＭ１０７には、ＣＰＵ１０１で実行される各種プログラムやそれら各種プログラムの実行に必要な各種定数が記憶されており、ＣＰＵ１０１は、ＲＯＭ１０７に記憶されたプログラムをＲＡＭ１０２を作業領域として使いながら実行する。
【００３１】
不揮発メモリ１０８には、この携帯電話端末１０の、書き換えられることがありうる各種設定条件等が記録されている。
【００３２】
マイクデバイス１０３は、ユーザの声をピックアップするマイクロホンおよびそのマイクロホンでピックアップされた声を処理する機能ブロックである。
【００３３】
スピーカデバイス１０４は、ユーザに向けて音声を出力するスピーカ、およびそのスピーカを駆動する音声信号を生成する機能ブロックである。
【００３４】
近距離無線デバイス１０５は、画像や電話番号などを基地局２０を介さずに外部装置に送信するためのものであり、赤外線通信などが採用されている。
【００３５】
カメラデバイス１０６は、写真撮影による画像データの収集を司るブロック、ディスプレイデバイス１０９は、ＬＣＤ１１１（図２参照）への画像表示を司るブロック、キーデバイス１１０は、ユーザによる各種操作キー１２１（図２参照）のキー操作を検出するブロックである。
【００３６】
また、携帯電話通話デバイス１１３は、アンテナ１１４を介して電話の送受信や電子メールの送受信等を担っている。
【００３７】
図４は、携帯電話端末１０のハードウェアと、その携帯電話端末１０のＣＰＵ１０１で実行されるプログラムとの複合により構成される、本実施形態に特有な機能（情報表示機能）の実現に必要な機能ブロックを示した図である。
【００３８】
図４には、要求受信部２１１、情報解析部２１２、表示部２１３、受信用ＤＢ更新部２１４、情報発信部２１５、および受信用ＤＢ２１０で構成される受信部１０Ａと、情報受付部２２１、発信用ＤＢ更新部２２２、要求発信部２２３、および発信用ＤＢ２２０で構成される発信部１０Ｂとが示されている。
【００３９】
まず、受信部１０Ａを構成する各種要素について説明する。
【００４０】
受信用ＤＢ２１０は、図３に示す不揮発メモリ１０８がその役割を担うものであり、受信対応表２１０ａが記憶されている。
【００４１】
図５は、受信対応表２１０ａの構成を示す図である。
【００４２】
図５に示すように、受信対応表２１０ａは、通信相手端末に固有に割り当てたキー情報を表わす相手キー情報と、その通信相手端末から電話が掛かってきたことを通知するための表示内容を表わす表示情報とから成り立っている。
【００４３】
受信用ＤＢ２１０には、図５に示すような構成を有する受信対応表２１０ａが記憶されている。この受信用ＤＢ２１０は、本発明にいう情報記憶部の一例に相当する。
【００４４】
要求受信部２１１は、図３に示す携帯電話通信デバイス１１３がその役割を担うものであり、図１に示す固定電話端末４０などから送られてきた通信要求と発呼モード（通知モード／非通知モード）を受信する。尚、発呼モードが通知モードの場合には、電話番号も伝えられる。通信要求が受信されると、この携帯電話端末１０は着呼されて応答待ち状態になり、ユーザによって操作キー１２１のうちの通話キー（図示しない）が選択されると、通話可能状態に移行する。尚、通信要求とともに、その通信相手端末のキー情報が送られてくることがあり、この場合には、要求受信部２１１でキー情報も受信される。受信されたキー情報と発呼モード情報は、情報解析部２１２に伝えられる。この要求受信部２１１は、本発明にいう通信要求受信部の一例に相当する。
【００４５】
情報解析部２１２は、受信用ＤＢ２１０に記憶された受信対応表２１０ａ中の相手キー情報のうち、要求受信部２１１から伝えられたキー情報と一致するものを検索し、検索した相手キー情報と対応付けられた表示情報を取得する。取得した表示情報は、表示部２１３に伝えられる。また、要求受信部２１１でキー情報が受信されなかった場合などには、表示情報がない旨が表示部２１３に伝えられる。この情報解析部２１２は、本発明にいう表示制御部の一例に相当する。
【００４６】
表示部２１３は、図２のＬＣＤ１１１と図３のディスプレイデバイス１０９がその役割を担うものであり、伝えられた発呼モード情報が通知モードのときには、発呼モード情報とともに伝えられた通信相手端末の電話番号をＬＣＤ１１１に表示し、発呼モード情報が非通知モードのときには、「非通知モード」である旨をＬＣＤ１１１に表示する。また、情報解析部２１２から表示情報が伝えられたときには、表示情報をＬＣＤ１１１に表示し、表示情報が伝えられなかったときには、「表示情報なし」の旨をＬＣＤ１１１に表示する。この表示部２１３は、本発明にいう表示部の一例に相当する。
【００４７】
ここで、通信相手端末からキー情報が送られてこなかった場合、携帯電話端末１０のユーザは、電話を取って通信相手端末のユーザと通話し、通信相手端末のユーザを特定したら、操作キー１２１のうちの登録キーを選択する。このとき、受信用ＤＢ更新部２１４は、未だ登録されていないキー情報を通信相手端末に割り当てる。さらに、通話が終了した後で、ユーザが通信相手端末に対する装置情報を編集すると、その編集された装置情報と、通信相手端末に割り当てたキー情報とに基づいて受信対応表２１０ａを更新する。割り当てられたキー情報は、情報発信部２１５に伝えられる。この受信用ＤＢ更新部２１４は、本発明にいう情報編集部の一例に相当する。
【００４８】
情報発信部２１５は、図３に示す携帯電話通信デバイス１１３がその役割を担うものであり、受信用ＤＢ更新部２１４から伝えられたキー情報を、通信相手端末に向けて送信する。この情報発信部２１５は、本発明にいう識別情報送信部の一例にあたる。
【００４９】
受信部１０Ａは以上のように構成されている。続いて、発信部１０Ｂを構成している各種要素について説明する。
【００５０】
発信用ＤＢ２２０は、図３に示す不揮発メモリ１０８がその役割を担うものであり、発信対応表２２０ａが記憶されている。
【００５１】
図６は、発信対応表２２０ａの構成を示す図である。
【００５２】
図６に示すように、発信対応表２２０ａは、通信相手端末から割り当てられた自端末のキー情報を表わす自キー情報と、その通信相手端末の電話番号とから成り立っている。
【００５３】
発信用ＤＢ２２０には、図６に示すような構成を有する発信対応表２２０ａが記憶されている。この発信用ＤＢ２２０は、本発明にいう自情報記憶部の一例に相当する。
【００５４】
携帯電話端末１０のユーザが操作キー１２１を使って通信相手端末の電話番号を指定すると、要求発信部２２３は、発信対応表２２０ａに登録されている相手電話番号のうち、ユーザが指定した通信相手端末の電話番号と一致するものがあるか検索する。一致する相手電話番号がない場合には、要求発信部２２３は、通信相手端末に向けて通信要求のみ送信し、一致する相手電話番号がある場合には、その相手電話番号と対応付けられた自キー情報を通信要求といっしょに送信する。また、ユーザが「通知モード」で発呼したときには、自端末の電話番号と「通知モード」の情報を通信要求といっしょに送信し、「非通知モード」で発呼したときには、「非通知モード」の情報を通信要求といっしょに送信する。この要求発信部２２３は、本発明にいう通信要求送信部の一例にあたる。
【００５５】
また、通話中に、通信相手端末で割り当てられたキー情報が送られてきたときには、そのキー情報が情報受付部２２１で受信される。受信されたキー情報は、発信用ＤＢ更新部２２２に伝えられる。この情報受付部２２１は、本発明にいう識別情報受付部の一例に相当する。
【００５６】
発信用ＤＢ更新部２２２は、情報受付部２２１から伝えられたキー情報と、ユーザが通話している通信相手端末の電話番号とに基づいて、発信用対応表２２０ａを更新する。この発信用ＤＢ更新部２２２は、本発明にいう自情報更新部の一例に相当する。
【００５７】
携帯電話端末１０には、基本的には以上のような機能が搭載されている。
【００５８】
ここで、携帯電話端末１０と、固定電話端末４０とでは、外観、ハードウェア構成、および通信方法などが相互に異なるが、固定電話端末４０にも、図４に示す本実施形態に特有な情報表示機能が備えられている。以下では、固定電話端末４０を構成している要素や機能のうち、携帯電話端末１０と同様なものについては、固定電話端末４０においても同じ図や符号を使い、携帯電話端末１０に、固定電話端末４０から「非通知モード」で発呼が発信されたときの、固定電話端末４０および携帯電話端末１０で実行される処理について説明する。
【００５９】
図７は、携帯電話端末１０に固定電話端末４０の相手キー情報が未登録の状態で、固定電話端末４０から携帯電話端末１０に電話が掛けられたときの処理の流れを示すフローチャート図である。
【００６０】
固定電話端末４０のユーザは、携帯電話端末１０の電話番号（０９０−１１１１−３３３３）を指定し、携帯電話端末１０に電話を掛ける。このとき、図４に示す固定電話端末４０の要求発信部２２３では、発信対応表２２０ａに記録されている相手電話番号のうち、ユーザが指定した電話番号と一致するものがあるか検索する（図７のステップＳ１０１）。この例では、図７のステップＳ１０１の段階では、発信対応表２２０ａに相手電話番号が未登録であるため、要求発信部２２３は、携帯電話端末１０に向けてキー情報を併なわない通信要求のみを送信する（図７のステップＳ１０２）。
【００６１】
携帯電話端末１０では、固定電話端末４０から送られてきた通信要求が、図４の要求受信部２１１で受信される（図７のステップＳ２０１）。この例では、要求受信部２１１において、キー情報が受信されず、通信要求のみ受信されたため、情報解析部２１２は受信対応表２１０ａの検索をせずに、検索結果を「表示情報なし」と決定する（図７のステップＳ２０２）。さらに、情報解析部２１２は、「表示情報なし」という検索結果を表示部２１３に伝える。
【００６２】
表示部２１３は、情報解析部２１２から伝えられた検索結果に従って、固定電話端末４０の相手キー情報が未登録であることを示す「登録なし」というメッセージと、「非通知モード」というメッセージをＬＣＤ２１３に表示する（図７のステップＳ２０３）。
【００６３】
携帯電話端末１０のユーザは、ＬＣＤ２１３を確認し、相手キー情報が未登録の発信者から非通知モードで発呼されたことを認識する。ユーザが電話を取ると、図３に示す携帯電話通信デバイス１１３から固定電話端末４０に、通信要求に対する応答が送信される（図７のステップＳ２０４）。
【００６４】
固定電話端末４０では、携帯電話端末１０から送られてきた応答が受信され（図７のステップＳ７）、固定電話端末４０と携帯電話端末１０とが通話可能状態に移行する。
【００６５】
固定電話端末４０のユーザと、携帯電話端末１０のユーザとの間で通話がなされて、携帯電話端末１０のユーザが固定電話端末４０のユーザを特定すると、携帯電話端末１０のユーザは、携帯電話端末１０の操作キー１２１のうちの登録キーを選択して、固定電話端末４０のキー情報の登録を指示する。
【００６６】
このとき、図４に示す携帯電話端末１０の受信用ＤＢ更新部２１４は、固定電話端末４０に、受信対応表２１０ａに未だ登録されていないキー情報（ＡＡＡ００２）を割り当てる（図７のステップＳ２０５）。さらに、受信用ＤＢ更新部２１４は、割り当てたキー情報に基づいて、受信対応表２１０ａを更新する。この状態では、図７のステップＳ２０５に示すように、携帯電話端末１０の受信対応表２１０ａには、固定電話端末４０のキー情報（ＡＡＡ００２）のみ登録されており、表示情報が登録されていない。
【００６７】
受信用ＤＢ更新部２１４で割り当てられたキー情報は、情報発信部２１５から固定電話端末４０に向けて送信される（図７のステップＳ２０６）。
【００６８】
固定電話端末４０では、図４に示す情報受付部２２１において、携帯電話端末１０から送られてきたキー情報が取得される（図７のステップＳ１０４）。取得されたキー情報は、発信用ＤＢ更新部２２２に伝えられる。
【００６９】
固定電話端末４０の発信用ＤＢ更新部２２２は、固定電話端末４０のユーザが指定した携帯電話端末１０の電話番号（０９０−１１１１−３３３３）と、伝えられたキー情報（ＡＡＡ００２）とに基づいて、固定電話端末４０の発信用ＤＢ２２０に記憶された発信用対応表２２０ａを更新する（図７のステップＳ１０５）。この結果、図７のステップＳ１０５に示すように、固定電話端末４０の発信用対応表２２０ａに、携帯電話端末１０から割り当てられた固定電話端末４０のキー情報（ＡＡＡ００２）と、携帯電話端末１０の電話番号（０９０−１１１１−３３３３）とが対応付けて記録される。
【００７０】
固定電話端末４０のユーザと、携帯電話端末１０のユーザとの間で通話が終了すると、固定電話端末４０と携帯電話端末１０との接続が切断される。
【００７１】
携帯電話端末１０では、ステップＳ２０５に示すように、受信対応表２１０ａに、固定電話端末４０のキー情報（ＡＡＡ００２）のみ登録されており、表示情報が登録されていないため、ユーザに編集要求が通知される。図４の表示部２１３は、ＬＣＤ２１３に、「表示情報を編集してください」というメッセージを表示する（図７のステップＳ２０７）。
【００７２】
携帯電話端末１０のユーザが固定電話端末４０の表示情報（山田さん）を編集すると、図４の受信用ＤＢ更新部２１４は、受信対応表２１０ａにおける、固定電話端末４０のキー情報が記録された欄にユーザによって編集された表示情報を追加し、受信対応表２１０ａを更新する（図７のステップＳ２０８）。この結果、受信対応表２１０ａには、固定電話端末４０のキー情報（ＡＡＡ００２）と表示情報（山田さん）が登録される。
【００７３】
続いて、固定電話端末４０の相手キー情報が登録された状態で、固定電話端末４０から携帯電話端末１０に電話が掛けられた場合について説明する。
【００７４】
図８は、携帯電話端末１０に固定電話端末４０の相手キー情報が登録された状態で、固定電話端末４０から携帯電話端末１０に電話が掛けられたときの処理の流れを示すフローチャート図である。
【００７５】
図７と同様にして、固定電話端末４０のユーザは、携帯電話端末１０の電話番号（０９０−１１１１−３３３３）を指定し、携帯電話端末１０に電話を掛ける。図４に示す固定電話端末４０の要求発信部２２３では、図７のステップＳ１０１と同様に、発信対応表２２０ａに記録されている相手電話番号のうち、ユーザが指定した電話番号と一致するものがあるか検索する（図８のステップＳ１１１）。この例では、固定電話端末４０の発信対応表２２０ａに携帯電話端末１０の電話番号（０９０−１１１１−３３３３）が登録されているため、その電話番号と対応付けられた自キー情報（ＡＡＡ００２）が取得される。要求発信部２２３は、通信要求と自キー情報を携帯電話端末１０に向けて送信する（図８のステップＳ１１２）。
【００７６】
携帯電話端末１０では、固定電話端末４０から送られてきた通信要求とキー情報が、図４の要求受信部２１１で受信される（図８のステップＳ２１１）。
【００７７】
携帯電話端末１０の情報解析部２１２では、受信用対応表２１０ａに記録された相手キー情報のうち、固定電話端末４０から送られてきたキー情報（ＡＡＡ００２）と一致するものがあるか検索され、その相手キー情報と対応付けられた表示情報（山田さん）が取得される（図８のステップＳ２１２）。情報解析部２１２は、取得した表示情報を表示部２１３に伝える。
【００７８】
表示部２１３は、情報解析部２１２から伝えられた表示情報（山田さん）と、「非通知モード」というメッセージをＬＣＤ２１３に表示する（図８のステップＳ２１３）。
【００７９】
携帯電話端末１０のユーザは、ＬＣＤ２１３を確認することによって、「山田さん」から発呼されたことを応答前に特定することができる。
【００８０】
ユーザが電話を取ると、図３に示す携帯電話通信デバイス１１３から固定電話端末４０に、通信要求に対する応答が送信され（図８のステップＳ２１４）、固定電話端末４０では、携帯電話端末１０から送られてきた応答が受信されて（図８のステップＳ１１３）、固定電話端末４０と携帯電話端末１０とが通話可能状態に移行する。通話が終了すると、固定電話端末４０と携帯電話端末１０との接続が切断される。
【００８１】
このように、本実施形態によると、非通知モードで電話が掛かってきたときでも、応答前に発信者を特定することができる。また、自ら電話を掛けるときにも、間違った相手側に自端末の電話番号を知られてしまう不具合を回避するとともに、正しい相手側では自らを特定してもらうことができる。
【００８２】
ここで、上記では、本発明を無線通信を用いる携帯電話や、電話回線を使って通話する固定電話に適用する例について説明したが、本発明の通信装置は、インターネット回線を使って通話するインターネット電話などで適用してもよい。
【図面の簡単な説明】
【００８３】
【図１】本発明の一実施形態が適用された通信システムの一例を示す模式図である。
【図２】携帯電話端末の外観斜視図である。
【図３】携帯電話端末のハードウェア構成図である。
【図４】本実施形態に特有な機能（情報表示機能）の実現に必要な機能ブロックを示した図である。
【図５】受信対応表２１０ａの構成を示す図である。
【図６】発信対応表２２０ａの構成を示す図である。
【図７】携帯電話端末１０に固定電話端末４０の相手キー情報が未登録の状態で、固定電話端末４０から携帯電話端末１０に電話が掛けられたときの処理の流れを示すフローチャート図である。
【図８】携帯電話端末１０に固定電話端末４０の相手キー情報が登録された状態で、固定電話端末４０から携帯電話端末１０に電話が掛けられたときの処理の流れを示すフローチャート図である。
【符号の説明】
【００８４】
１０    携帯電話端末
１０Ａ    受信部
１０Ｂ    発信部
１１    上部筐体
１２    下部筐体
２０    基地局
３０    交換機
４０    固定電話端末
５０    電話回線
１００    バス
１０１    ＣＰＵ
１０２    ＲＡＭ
１０３    マイクデバイス
１０４    スピーカデバイス
１０５    カメラデバイス
１０６    近距離無線デバイス
１０７    ＲＯＭ
１０８    不揮発メモリ
１０９    ディスプレイデバイス
１１０    キーデバイス
１１１    ＬＣＤ
１１２    送話口
１１３    携帯電話通信デバイス
１１４    アンテナ
１２１    操作キー
１２２    受話口
１２３    放音口
２１０    受信用ＤＢ
２１１    要求受信部
２１２    情報解析部
２１３    表示部
２１４    受信用ＤＢ更新部
２１５    情報発信部
２２０    発信用ＤＢ
２２１    情報受付部
２２２    発信用ＤＢ更新部
２２３    要求発信部
【図１】
2006279736.tif 000003
【図２】
2006279736.tif 000004
【図３】
2006279736.tif 000005
【図４】
2006279736.tif 000006
【図５】
2006279736.tif 000007
【図６】
2006279736.tif 000008
【図７】
2006279736.tif 000009
【図８】
2006279736.tif 000010